(57)【要約】      （修正有）【課題】計測ユニット、整流板の誤組付けを簡単かつ確実に防止可能なガスメータの流量計測用部品の誤組付け防止構造を提供する。【解決手段】底部カバー３で封鎖されるメータケース２の底部に形成される内部ガス流路の部分には、入口用整流板１６、超音波式の計測ユニット１５、出口用整流板１７が装着される。メータケース２の底部の内部には、計測ユニット１５、入口用整流板１６および出口用整流板１７の装着をガイドするガイド溝３０、２５、２６がそれぞれ形成されている。計測ユニット１５、入口用整流板１６、出口用整流板１７には、ガイド溝３０、２５、２６に沿ってガイドされる突起１６ｆ、１７ｆがそれぞれ形成されている。これらガイド溝と突起の組み合わせにより、これらの部品が前後逆の状態で誤組付けされることが防止される。【選択図】図３
2020003465.tif 000002
【特許請求の範囲】
【請求項１】
メータケースの底部開口部から、前記メータケースの内部ガス流路における入口ガス流路、計測ユニット装着部および出口ガス流路のそれぞれに、入口用整流板、超音波式の計測ユニットおよび出口用整流板が装着され、前記底部開口部が、前記メータケースの底部に取り付けた底部カバーによって封鎖されているガスメータの流量計測用部品の誤組付け防止構造であって、
前記入口ガス流路には、前記入口用整流板の装着をガイドする入口ガス流路側ガイド部が形成されており、
前記入口用整流板には、前記入口ガス流路側ガイド部に係合して当該入口用整流板の前記入口ガス流路への装着をガイドする入口用整流板側ガイド部が形成されており、
前記入口用整流板側ガイド部は、前記入口用整流板が前後の向きが正しい状態で前記入口ガス流路に装着される場合にのみ、前記入口ガス流路側ガイド部に係合する位置に位置決め可能であり、
前記出口ガス流路には、前記出口用整流板の装着をガイドする出口ガス流路側ガイド部が形成されており、
前記出口用整流板には、前記出口ガス流路側ガイド部に係合して当該出口用整流板の前記出口ガス流路への装着をガイドする出口用整流板側ガイド部が形成されており、
前記出口用整流板側ガイド部は、前記出口用整流板が前後の向きが正しい状態で前記出口ガス流路に装着される場合にのみ、前記出口ガス流路側ガイド部に係合する位置に位置決め可能となっている
ガスメータの流量計測用部品の誤組付け防止構造。
【請求項２】
請求項１において、
前記計測ユニット装着部には、前記計測ユニットの装着をガイドするユニット装着部側ガイド部が形成されており、
前記計測ユニットには、当該計測ユニットを、前後の向きが正しい状態で装着される場合には前記ユニット装着部側ガイド部に沿って予め定めた正規装着位置にガイドし、前後の向きが逆の状態で装着される場合には前記ユニット装着部側ガイド部に沿って前記正規装着位置から外れた誤装着位置にガイドする計測ユニット側ガイド部が形成されている
ガスメータの流量計測用部品の誤組付け防止構造。
【請求項３】
請求項２において、
前記計測ユニットには、前記メータケースに対する前記底部カバーの取付けをガイドする計測ユニット側底部カバーガイド部が形成されており、
前記底部カバーには、前記計測ユニット側底部カバーガイド部に係合して前記底部カバーの前記底部への取付けをガイドする底部カバー側ガイド部が形成されており、
前記底部カバー側ガイド部は、前記正規装着位置に前記計測ユニットが装着された場合にのみ、前記計測ユニット側底部カバーガイド部に係合する位置に位置決め可能となっている
ガスメータの流量計測用部品の誤組付け防止構造。
【請求項４】
請求項１において、
前記計測ユニットには、前記メータケースに対する前記底部カバーの取付けをガイドする計測ユニット側底部カバーガイド部が形成されており、
前記底部カバーには、前記計測ユニット側底部カバーガイド部に係合して前記底部カバーの前記底部への取付けをガイドする底部カバー側ガイド部が形成されており、
前記計測ユニットが、前後の向きが正しい状態で、前記計測ユニット装着部に装着された場合における当該計測ユニットの装着位置を正規装着位置とすると、
前記底部カバー側ガイド部は、前記正規装着位置に前記計測ユニットが装着された場合にのみ、前記計測ユニット側底部カバーガイド部に係合する位置に位置決め可能となっている
ガスメータの流量計測用部品の誤組付け防止構造。
【請求項５】
メータケースの底部開口部から、前記メータケースの内部ガス流路における計測ユニット装着部に、超音波式の計測ユニットが装着され、前記底部開口部が、前記メータケースの底部に取り付けた底部カバーによって封鎖されているガスメータの流量計測用部品の誤組付け防止構造であって、
前記計測ユニット装着部には、前記計測ユニットの装着をガイドするユニット装着部側ガイド部が形成されており、
前記計測ユニットには、当該計測ユニットを、前後の向きが正しい状態で装着される場合には前記ユニット装着部側ガイド部に沿って予め定めた正規装着位置にガイドし、前後の向きが逆の状態で装着される場合には前記ユニット装着部側ガイド部に沿って前記正規装着位置から外れた誤装着位置にガイドする計測ユニット側ガイド部が形成されている
ガスメータの流量計測用部品の誤組付け防止構造。
【請求項６】
請求項５において、
前記計測ユニットには、前記メータケースに対する前記底部カバーの取付けをガイドする計測ユニット側底部カバーガイド部が形成されており、
前記底部カバーには、前記計測ユニット側底部カバーガイド部に係合して前記底部カバーの前記底部への取付けをガイドする底部カバー側ガイド部が形成されており、
前記底部カバー側ガイド部は、前記正規装着位置に前記計測ユニットが装着された場合にのみ、前記計測ユニット側底部カバーガイド部に係合する位置に位置決め可能となっている
ガスメータの流量計測用部品の誤組付け防止構造。
【請求項７】
メータケースの底部開口部から、前記メータケースの内部ガス流路における計測ユニット装着部に、超音波式の計測ユニットが装着され、前記底部開口部が、前記メータケースの底部に取り付けた底部カバーによって封鎖されているガスメータの流量計測用部品の誤組付け防止構造であって、
前記計測ユニットには、前記メータケースに対する前記底部カバーの取付けをガイドする計測ユニット側底部カバーガイド部が形成されており、
前記底部カバーには、前記計測ユニット側底部カバーガイド部に係合して前記底部カバーの前記底部への取付けをガイドする底部カバー側ガイド部が形成されており、
前記計測ユニットが、前後の向きが正しい状態で、前記計測ユニット装着部に装着された場合における当該計測ユニットの装着位置を正規装着位置とすると、
前記底部カバー側ガイド部は、前記正規装着位置に前記計測ユニットが装着された場合にのみ、前記計測ユニット側底部カバーガイド部に係合する位置に位置決め可能となっている
ガスメータの流量計測用部品の誤組付け防止構造。
【発明の詳細な説明】
【技術分野】
【０００１】
本発明は、ガス流量を計測するために超音波式の計測ユニットが内蔵されているガスメータに関する。更に詳しくは、計測ユニット、並びに、その入口側および出口側に配置される入口用整流板および出口用整流板の誤組付けを防止するための誤組付け防止構造に関する。
【背景技術】
【０００２】
超音波式ガスメータとして、特許文献１、２に記載されているように、ガス流量を超音波式流速センサが備わった計測ユニットを用いて行うものが知られている。このような超音波式ガスメータでは、メータケースの天面にガス流入口およびガス流出口が設けられ、メータケースの内部には、ガス流入口からガス流出口にガスを導くＵ字状の内部ガス流路が形成され、内部ガス流路におけるガスメータの底部分に、超音波の伝播時間に基づきガス流量を計測する超音波式の計測ユニットが装着されている。
【０００３】
また、計測精度を高めるために、計測ユニットの上流側には入口用整流板が配置され、その下流側には出口用整流板が配置され、計測ユニットに流入するガスの流れ、流出するガスの流れを整流している。これら計測ユニット、入口用整流板および出口用整流板（以下、これらを流量計測用部品と呼ぶ。）は、メータケースの底部開口部から内部ガス流路に装着される。これらの部品が装着された状態で、底部開口部は底部カバーによって封鎖される。
【０００４】
計測ユニット、整流板の組付けの向きは予め定まっており、それらの前端（ガス流入側）がガス流路の上流側を向き、それらの後端（ガス流出側）がガス流路の下流側を向く状態で組み付けられる。これらの部品の向きを誤って組み付けると、ガス流量の計測を正確に行うことができないので、誤組付けを確実に防止する必要がある。
【先行技術文献】
【特許文献】
【０００５】
【特許文献１】特開２０１２−１０３０８７号公報
【特許文献２】特開２０１７−１２９３９１号公報
【発明の概要】
【発明が解決しようとする課題】
【０００６】
ここで、計測ユニット、整流板は、前後対称な輪郭形状をしている場合が多い。これに合わせて、メータケースの側の内部ガス流路に形成される計測ユニット、整流板の装着部分も、前後対称な内周面形状になる。計測ユニット、整流板を、前後逆の向きでも内部ガス流路に組付け可能な場合がある。このため、これらの部品の組付け作業においては、計測ユニットに付されている前後のマーク等を確認しながら誤組付けしないように注意する必要がある。同様に、整流板も前後逆にならないように注意して組付け作業を行う必要がある。さらに、計測ユニットの前端側および後端側にそれぞれ整流板を配置する場合には、前後の整流板を逆に配置する誤組付けにも注意する必要がある。
【０００７】
本発明の目的は、このような点に鑑みて、計測ユニット、整流板の誤組付けを簡単かつ確実に防止可能なガスメータの流量計測用部品の誤組付け防止構造を提供することにある。
【課題を解決するための手段】
【０００８】
上記の課題を解決するために、本発明は、メータケースの底部開口部から、前記メータケースの内部ガス流路における入口ガス流路、計測ユニット装着部および出口ガス流路のそれぞれに、入口用整流板、超音波式の計測ユニットおよび出口用整流板が装着され、前記底部開口部が、前記メータケースの底部に取り付けた底部カバーによって封鎖されているガスメータにおいて、当該ガスメータの流量計測用部品の誤組付け防止構造を次のように構成している。
【０００９】
入口ガス流路には、入口用整流板の装着をガイドする入口ガス流路側ガイド部が形成されており、入口用整流板には、入口ガス流路側ガイド部に係合して当該入口用整流板の入口ガス流路への装着をガイドする入口用整流板側ガイド部が形成されている。入口用整流板側ガイド部は、入口用整流板が前後の向きが正しい状態で入口ガス流路に装着される場合にのみ、入口ガス流路側ガイド部に係合する位置に位置決め可能である。同様に、出口ガス流路には、出口用整流板の装着をガイドする出口ガス流路側ガイド部が形成されており、出口用整流板には、出口ガス流路側ガイド部に係合して当該出口用整流板の出口ガス流路への装着をガイドする出口用整流板側ガイド部が形成されている。出口用整流板側ガイド部は、出口用整流板が前後の向きが正しい状態で出口ガス流路に装着される場合にのみ、出口ガス流路側ガイド部に係合する位置に位置決め可能である。
【００１０】
入口用整流板が前後の向きが正しい状態で入口ガス流路に装着される場合には、入口用整流板側ガイド部が入口ガス流路側ガイド部によってガイドされて入口ガス流路に装着可能である。これに対して、前後逆の向きで入口用整流板が入口ガス流路に装着される場合には、入口用整流板側ガイド部を入口ガス流路側ガイド部に係合可能な位置に位置決めできないので、入口用整流板を装着できない。また、入口用整流板が出口ガス流路に装着される場合においても、入口用整流板側ガイド部を、出口ガス流路側ガイド部に係合可能な位置に位置決めできないので、入口用整流板を装着できない。
【００１１】
同様に、出口用整流板が前後の向きが正しい状態で出口ガス流路に装着される場合には、出口用整流板側ガイド部が出口ガス流路側ガイド部によってガイドされて出口ガス流路に装着可能である。これに対して、前後逆の向きで出口用整流板が出口ガス流路に装着される場合には、出口用整流板側ガイド部を出口ガス流路側ガイド部に係合可能な位置に位置決めできないので、出口用整流板を装着できない。また、出口用整流板が入口ガス流路に装着される場合においても、出口用整流板側ガイド部を、入口ガス流路側ガイド部に係合可能な位置に位置決めできないので、出口用整流板を装着できない。
【００１２】
このように、本発明によれば、入口用整流板および出口用整流板のそれぞれが前後の向きが逆の状態で装着される誤組付けを確実に防止できる。また、これらが前後逆の位置に装着される誤組付けも確実に防止できる。
【００１３】
次に、本発明の誤組付け防止構造では、計測ユニット装着部には、計測ユニットの装着をガイドする計測ユニット装着部側ガイド部が形成されている。また、計測ユニットには、計測ユニットが前後の向きが正しい状態で装着される場合には当該計測ユニットを計測ユニット装着部側ガイド部に沿って予め定めた正規装着位置にガイドし、前後の向きが逆の状態で装着される場合には計測ユニット装着部側ガイド部に沿って正規装着位置から外れた誤装着位置にガイドする計測ユニット側ガイド部が形成されている。
【００１４】
前後の向きが逆の状態で計測ユニットがユニット装着部に装着される場合には、計測ユニット装着部側ガイド部によって計測ユニット側ガイド部がガイドされて、計測ユニットが正規装着位置から外れた誤装着位置に装着される。作業者は、計測ユニットの装着位置を確認することで、計測ユニットの向きが逆であると知ることができる。これにより、誤組付けを防止できる。
【００１５】
次に、本発明の誤組付け防止構造では、計測ユニットには、メータケースに対する底部カバーの取付けをガイドする計測ユニット側底部カバーガイド部が形成されており、底部カバーには、計測ユニット側底部カバーガイド部に係合して底部カバーの底部への取付けをガイドする底部カバー側ガイド部が形成されている。底部カバー側ガイド部は、正規装着位置に計測ユニットが装着された場合にのみ、計測ユニット側底部カバーガイド部に係合する位置に位置決め可能である。
【００１６】
計測ユニットが前後逆の向きで装着された場合に、メータケースの底部に底部カバーを取り付けようとしても、誤組付け状態の計測ユニット側底部カバーガイド部に、底部カバーの底部カバー側ガイド部を位置決めできず、底部カバーを取り付けることができない。これにより、作業者は、計測ユニットの誤組付けを知ることができる。よって、計測ユニットが誤組付けされたことが簡単かつ確実に分かるので、誤組付けを確実に防止できる。
【図面の簡単な説明】
【００１７】
【図１】本発明を適用したガスメータの一例を示す平面図、正面図、底部図である。
【図２】図１のガスメータの概略縦断面図および底部カバーを外した状態の底部図である。
【図３】図１のガスメータの底部側の部分を示す概略分解斜視図である。
【図４】図１のガスメータの入口用整流板を示す斜視図である。
【図５】図１のガスメータの出口用整流板を示す斜視図である。
【図６】図１のガスメータの計測ユニットを示す平面図、正面図、出口側端面図、底部図および、前後を逆にした場合の底面図である。
【図７】図１のガスメータの底部カバーを上側から見た場合の斜視図である。
【発明を実施するための形態】
【００１８】
以下に、図面を参照して本発明を適用したガスメータの流量計測用部品の誤組付け防止構造の実施の形態を説明する。
【００１９】
［全体構成］
図１（ａ）、（ｂ）および（ｃ）は、それぞれ、実施の形態に係るガスメータを示す平面図、正面図および底部図である。図２（ａ）および（ｂ）は、それぞれ、ガスメータの概略縦断面図および底部カバーを外した状態の底部図である。
【００２０】
ガスメータ１は、全体として略矩形輪郭のメータケース２と、このメータケース２の底部に取り付けた底部カバー３とを備えている。底部カバー３によって、メータケース２の底部開口部４が封鎖されている。メータケース２の上面において、その幅方向の一方の端にはガス流入口５が上向きに開口し、他方の端にはガス流出口６が上向きに開口している。メータケース２の幅方向の中央部分には、液晶表示器７を備えた制御ユニット８が搭載されている。
【００２１】
メータケース２のケース内部には、ガス流入口５からガス流出口６に計測対象のガスを導くＵ字状の内部ガス流路が形成されている。内部ガス流路は、ガス流入口５からメータケース２の底部の側に向かう上流側ガス流路１１と、この下流端から、メータケース２と底部カバー３との間において横方向に延びる中間ガス流路１２と、この下流端からガス流出口６まで上方に延びる下流側ガス流路１３とから構成されている。上流側ガス流路１１の途中にはガス遮断弁１４によって開閉可能な連通口１１ａが形成されている。
【００２２】
メータケース２の底部に沿って延びる中間ガス流路１２の途中の部位には計測ユニット装着部１２ｂが形成されている。計測ユニット装着部１２ｂには、超音波式流速センサを備えた計測ユニット１５が装着されている。中間ガス流路１２の途中の流路部分は、当該計測ユニット１５の内部に形成したユニット内部ガス流路１５ｂによって規定される。中間ガス流路１２において、上流側ガス流路１１と計測ユニット１５のガス入口１５ａの間には入口ガス流路１２ａが形成されており、ここに、入口用整流板１６が装着されている。また、中間ガス流路１２において、計測ユニット１５のガス出口１５ｃと下流側ガス流路１３との間には出口ガス流路１２ｃが形成されており、ここに、出口用整流板１７が装着されている。
【００２３】
上流側ガス流路１１から中間ガス流路１２の入口ガス流路１２ａを通って計測ユニット１５のガス入口１５ａに流れ込むガス流は、入口用整流板１６によって整流されながら、計測ユニット１５内のユニット内部ガス流路１５ｂに流れ込む。計測ユニット１５による計測位置を通りガス出口１５ｃから流出するガス流は、ここに配置されている出口用整流板１７によって整流されながら下流側ガス流路１３に流れる。これら前後の入口用整流板１６、出口用整流板１７によって、計測ユニット１５のユニット内部ガス流路１５ｂの計測位置を、整流化された状態でガス流が通過するので、ガス流量の検出を精度良く行うことができる。
【００２４】
図３は、ガスメータ１の底部側の部分を示す概略分解斜視図である。ガスメータ１のメータケース２の底部には、全体として横長の長方形の底部開口部４が形成されている。底部開口部４の開口縁部４ａに、シール部材２１を挟み、底部カバー３が締結用の複数本のビス２２によって締結固定されている。底部カバー３によって、底部開口部４が封鎖されている。
【００２５】
底部カバー３をメータケース２の底部から取り外すと、底部開口部４が露出する。底部開口部４には、内部ガス流路の中間ガス流路１２が形成されている部分が露出する（図２（ｂ）参照）。底部開口部４を介して、中間ガス流路１２が形成されている部分に、計測ユニット１５、入口用整流板１６および出口用整流板１７が装着される。これらの部品を装着した後に、底部カバー３が取り付けられる。計測ユニット１５は、そのガス入口１５ａが入口ガス流路１２ａを向き、そのガス出口１５ｃが出口ガス流路１２ｃを向くように、前後の向きが設定された状態で装着される。同様に、入口用整流板１６、出口用整流板１７も、前後の向きが設定された状態で装着される。
【００２６】
［誤組付け防止構造］
ガスメータ１において、その内部の中間ガス流路１２が形成されている部分と、計測ユニット１５、入口用整流板１６、出口用整流板１７との間には、これらの向きが逆の状態で誤組付けが行われることを未然に防ぐと共に、入口用整流板１６と出口用整流板１７とが逆の位置に装着されることを未然に防ぐための誤組付け防止構造が備わっている。以下に、本例の誤組付け防止構造を説明する。
【００２７】
メータケース２の底部内部には、入口ガス流路１２ａ、計測ユニット装着部１２ｂおよび出口ガス流路１２ｃからなる中間ガス流路１２の部分が形成されている。これらの部分は、底部開口部４からケース外に開口している。中間ガス流路１２は、メータケース２の底部開口部４の開口縁部４ａからメータケース２の上面の側に延びている前壁内周面２ａ、後壁内周面２ｂ、左右の側壁内周面２ｃ、２ｄの間に形成されている。
【００２８】
計測ユニット装着部１２ｂは、前壁内周面２ａと後壁内周面２ｂの間に、左右対称の状態で架け渡されている左右の仕切り壁２３、２４を備えている。仕切り壁２３、２４の端面は、矩形溝状に切り欠かれており、これらの部位に、計測ユニット１５が底部開口部４に直交する方向から装着される。仕切り壁２３と側壁内周面２ｃとの間が入口ガス流路１２ａとなっており、ここには、仕切り壁２３の側壁内周面２ｃの側の仕切り壁側面に沿って、底部開口部４に直交する方向から入口用整流板１６が装着される。同様に、他方の仕切り板２４と他方の側壁内周面２ｄとの間が出口ガス流路１２ｃとなっており、ここには、仕切り壁２４の側壁内周面２ｄの側の仕切り壁側面に沿って、底部開口部４に直交する方向から出口用整流板１７が装着される。
【００２９】
（入口用整流板の誤組付け防止構造）
まず、図３および図４を参照して、入口用整流板１６の誤組付け防止構造について説明する。図４は入口用整流板１６を上側から見た場合の斜視図である。入口ガス流路１２ａには、入口用整流板１６の装着をガイドする一対のガイド溝２５（入口ガス流路側ガイド部）が形成されている。入口用整流板１６には一対のガイド用の突起１６ｆ（入口用整流板側ガイド部）が形成されている。突起１６ｆは、前後の向きが正しい状態で装着される場合にはガイド溝２５に係合可能な位置に位置決めされ、当該ガイド溝２５に沿って入口ガス流路１２ａへの装着がガイドされる。反対向きで装着される場合には、ガイド溝２５に位置決めできず、入口用整流板１６を装着できない。
【００３０】
入口用整流板１６は、矩形輪郭の天板部分１６ａと、この長辺方向の両端から直角に延びる左右の側板部分１６ｂ、１６ｃとを備えたコの字形状の板である。入口用整流板１６において、天板部分１６ａの短辺方向の一方の端が前側端面１６ｄであり、他方の端が後側端面１６ｅである。後側端面１６ｅは、計測ユニット１５のガス入口１５ａの側の部分を装着可能な矩形の凹溝形状をしている。
【００３１】
入口用整流板１６の両側の側板部分１６ｂ、１６ｃの外側面には、それぞれ、対称の位置に、天板部分１６ａに直交する方向に延びる細長いコの字枠状の突起１６ｆが形成されている。突起１６ｆは、本例では、側板部分１６ｂ、１６ｃにおける幅方向の中心に位置している。これに対して、入口用整流板１６が装着される入口ガス流路１２ａにおいては、その前壁内周面２ａ、後壁内周面２ｂの部分に、前後対称の位置に、底部開口部４の開口縁部４ａに開口する矩形断面のガイド溝２５が形成されている。ガイド溝２５は、突起１６ｆを底部開口部４に直交する方向から挿入可能であり、突起１６ｆに対応する長さの溝である。
【００３２】
ガイド溝２５と突起１６ｆは、入口用整流板１６の誤組付けを防止できるように、次のように配置されている。入口用整流板１６が前後の向きが正しい状態で装着される場合、すなわち、その後側端面１６ｅが仕切り壁２３に沿って装着される場合には、ガイド溝２５に突起１６ｆを挿入可能（係合可能）であり、ガイド溝２５に沿って、突起１６ｆがガイドされて、設定深さの位置まで、入口用整流板１６が装着される。これに対して、入口用整流板１６が、前後が逆向きで装着される場合には、その前側端面１６ｄを仕切り壁２３に沿って押し込んでも、突起１６ｆの位置とガイド溝２５の位置にずれが生じ、入口用整流板１６を装着できない。よって、入口用整流板１６の前後の向きが誤った状態で入口ガス流路１２ａに装着されてしまう誤組付けを防止できる。
【００３３】
なお、入口用整流板１６が、上下逆の状態で装着された場合には、天板部分１６ａが下向きとなり、計測ユニット１５のガス入口１５ａの側の部分を、凹溝形状の後側端面１６ｅに装着できない。よって、入口用整流板１６が上下の向きが誤った状態で入口ガス流路１２ａに装着されてしまう誤組付けも防止できる。
【００３４】
（出口用整流板の誤組付け防止構造）
次に、図３および図５を参照して、出口用整流板１７の誤組付け防止構造について説明する。図５は出口用整流板１７を上側から見た場合の斜視図である。出口ガス流路１２ｃには、出口用整流板１７の装着をガイドする一対のガイド溝２６（出口ガス流路側ガイド部）が形成されている。出口用整流板１７にはガイド溝２６に係合可能な一対の突起１７ｆ（出口用整流板側ガイド部）が形成されている。出口用整流板１７が、前後の向きが正しい状態で装着される場合には、突起１７ｆがガイド溝２６に係合して出口ガス流路１２ｃへの装着がガイドされる。反対向きで装着される場合には、突起１７ｆをガイド溝２６に対応する位置に位置決めできず、出口用整流板１７を装着できない。
【００３５】
出口用整流板１７は、矩形輪郭の天板部分１７ａと、この長辺方向の両端から直角に延びる左右の側板部分１７ｂ、１７ｃとを備えたコの字形状の板である。出口用整流板１７において、天板部分１７ａの短辺方向の一方の端は前側端面１７ｄであり、他方の端が後側端面１７ｅである。前側端面１７ｄは、計測ユニット１５のガス出口１５ｃの側の部分が装着可能な矩形の凹溝形状をしている。
【００３６】
出口用整流板１７の両側の側板部分１７ｂ、１７ｃの外側面において、それらの後側端面１７ｅの側の端には、それぞれ、対称に、天板部分１７ａに直交する方向に延びる細長いコの字枠状の突起１７ｆが形成されている。これに対して、出口用整流板１７が装着される出口ガス流路１２ｃには、その前壁内周面２ａ、後壁内周面２ｂの部分に、前後対称の位置に、底部開口部４の開口縁に一端が開口している矩形断面のガイド溝２６が形成されている。ガイド溝２６は、突起１７ｆを底部開口部４に直交する方向から挿入可能であり、突起１７ｆに対応する長さの溝である。
【００３７】
ガイド溝２６と突起１７ｆは、出口用整流板１７の誤組付けを防止できるように、次のように配置されている。出口用整流板１７が前後の向きが正しい状態で装着される場合、すなわち、その前側端面１７ｄが仕切り壁２４に沿って装着される場合には、ガイド溝２６に係合する位置に突起１７ｆが位置決めされ、そこに挿入可能であり、ガイド溝２６に沿って、突起１７ｆがガイドされて、設定深さの位置まで、出口用整流板１７が装着される。これに対して、出口用整流板１７が、前後が逆向きで装着される場合には、その後側端面１７ｅを仕切り壁２４に沿って押し込んでも、突起１７ｆの位置とガイド溝２６の位置が一致しないので、突起１７ｆが開口縁部４ａに干渉し、出口用整流板１７を装着できない。よって、出口用整流板１７の前後の向きが誤った状態で出口ガス流路１２ｃに装着されてしまう誤組付けを防止できる。
【００３８】
また、出口用整流板１７が上下逆の状態で装着された場合には、天板部分１７ａが下向きとなり、計測ユニット１５のガス出口１５ｃの側の部分を、凹溝形状の前側端面１７ｄに装着できない。よって、出口用整流板１７が上下の向きが誤った状態で出口ガス流路１２ｃに装着されてしまう誤組付けも防止できる。
【００３９】
ここで、入口用整流板１６が後側の出口ガス流路１２ｃに誤組付けされ、出口用整流板１７が前側の入口ガス流路１２ａに誤組付けされるおそれがある。本例では、仕切り壁２３、２４に沿って装着される入口用整流板１６、出口用整流板１７には、これらの仕切り壁２３、２４からの距離が異なるように、それぞれ突起１６ｆ、１７ｆが形成されている。これらに対応した位置に、それぞれ、ガイド溝２５、２６が形成されている。したがって、入口用整流板１６が後側に装着され、出口用整流板１７が前側に装着される誤組付けも簡単かつ確実に防止できる。
【００４０】
（計測ユニットの誤組付け防止構造）
次に、図２（ｂ）、図３および図６を参照して、計測ユニット１５の誤組付け防止構造について説明する。図６（ａ）、（ｂ）、（ｃ）、（ｄ）および（ｅ）は、それぞれ、計測ユニット１５を示す平面図、正面図、出口側端面図、底面図および前後を逆にした状態の底面図である。メータケース２の側の計測ユニット装着部１２ｂには、計測ユニット１５の装着をガイドするガイド溝３０（計測ユニット装着部側ガイド部）が形成されている。計測ユニット１５の側には、前後の向きが正しい状態で装着される場合にはガイド溝３０に沿って正規装着位置にガイドされ、反対向きで装着される場合にはガイド溝３０に沿って正規装着位置から外れた誤装着位置にガイドされる一対の突起２９ａ、２９ｂ（計測ユニット側ガイド部）が形成されている。
【００４１】
計測ユニット１５は、図６に示すように、前後方向に細長い矩形筒状のユニットケース２７を備えており、その前端開口部がガス入口１５ａであり、その後端開口部がガス出口１５ｃである。ユニットケース２７のガス入口１５ａの側の外周面部分およびガス出口１５ｃの側の外周面部分には、それぞれ、シール部材２８ａ、２８ｂ（図３参照）が装着されるシール溝２７ａが形成されている。計測ユニット１５は、前後のシール部材２８ａ、２８ｂを挟み、計測ユニット装着部１２ｂの側の前後の仕切り壁２３、２４の端面に形成されている矩形溝に装着固定される。また、計測ユニット１５のガス入口１５ａの側の部位は、入口用整流板１６の後側端面１６ｅに形成されている矩形溝状の装着部に装着され、計測ユニット１５のガス出口１５ｃの側の部位は、出口用整流板１７の前側端面１７ｄに形成されている矩形溝状の装着部に装着される。
【００４２】
計測ユニット１５のユニットケース２７において、その天板部分２７ｂの前後方向（長さ方向）の中央部分には、矩形の枠板２９が取り付けられている。枠板２９における幅方向の両側の縁部には、幅方向の外方に突出する一定厚さの半円形輪郭の突起２９ａ、２９ｂ（計測ユニット側ガイド部）が形成されている。本例では、左右の突起２９ａ、２９ｂは、計測ユニット１５の前後方向の中心Ｃに対して、ガス入口１５ａの側に僅かな距離（偏心量δ）だけオフセットした位置に形成されている。
【００４３】
計測ユニット装着部１２ｂの側において、メータケース２の後壁内周面２ｂには、突起２９ａ、２９ｂを底部開口部４に直交する方向から挿入可能な半円形断面のガイド溝３０が形成されている。計測ユニット１５の前後の向きが正しい状態で計測ユニット装着部１２ｂに装着した場合に、その一方の突起２９ｂがガイド溝３０の側に位置する。前後の向きが逆の状態で計測ユニット１５が計測ユニット装着部１２ｂに装着されてしまう場合には、他方の突起２９ａがガイド溝３０の側に位置する。計測ユニット１５はその前後左右に対称な形状をしており、前後が逆の状態でも、計測ユニット１５を計測ユニット装着部１２ｂに装着可能である。
【００４４】
前後の向きが正しい状態（図６（ｄ）に示す状態）で、計測ユニット１５が装着される場合には、ガイド溝３０によって突起２９ｂがガイドされ、前後方向における正規装着位置に計測ユニット１５がガイドされて装着される。図２（ｂ）は正規装着位置に計測ユニット１５が装着された状態を示してある。この正規装着位置の状態では、計測ユニット１５のガス入口１５ａの側の部分が、シール部材２８ａを挟んだ状態で、仕切り壁２３の矩形溝状に切り欠かれた端面に係合し、そのガス出口１５ｃの側の部分も、シール部材２８ｂを挟んだ状態で、仕切り壁２４の矩形溝状に切り欠かれた端面に係合する。
【００４５】
これに対して、前後が逆向きの状態で計測ユニット１５を計測ユニット装着部１２ｂに装着した場合には次のようになる。図６（ｅ）に示すように、ガイド溝３０に突起２９ａを位置決めして係合させた状態では、前後の向きが正しい場合に比べて、計測ユニット１５は、計測ユニット装着部１２ｂに対して、前後方向に距離２δだけオフセットした位置に位置決めされる。本例では、計測ユニット装着部１２ｂにおける前後方向の前側に距離２δだけオフセットした位置に位置決めされる。このように前後が逆の場合には、ガイド溝３０に沿って計測ユニット１５を装着すると、計測ユニット１５は、正規装着位置に対して、前方側に距離２δ分だけオフセットした誤組付け位置に装着される。誤組付け位置の状態では、計測ユニット１５の前後のシール部材２８ａ、２８ｂが、それぞれ、計測ユニット装着部１２ｂの側の仕切り壁２３、２４の端面から前方に外れてしまう。作業者は、この装着状態を見て、計測ユニット１５が、前後が逆の状態で、誤組付けされたことに気付く。これにより、計測ユニット１５の誤組付けが防止される。
【００４６】
（計測ユニットと底部カバーとの間の誤組付け防止構造）
ここで、本例では、計測ユニット１５が前後逆の状態で誤組付けされることを確実に防止するために、計測ユニット１５が前後逆に組付けられた場合には、底部カバー３をメータケース２の底部に取り付けることができないように構成されている。
【００４７】
図３、図６および図７を参照して、計測ユニット１５と底部カバー３との間に構成された計測ユニット１５の誤組付け防止構造を説明する。図７は底部カバー３を上側から見た場合の斜視図である。
【００４８】
まず、図６に示すように、計測ユニット１５のユニットケース２７の底板部分２７ｃには、その両側の縁端に、幅方向の外方に突出する半円形輪郭の一定厚さの円弧板３１が突出している。円弧板３１の裏面の中心からは円錐台状の突起３２ａ、３２ｂ（計測ユニット側底面カバーガイド部）が垂直に下方に突出している。一対の突起３２ａ、３２ｂは、計測ユニット１５の前後左右方向の中心に対して回転対称の位置に形成されている。
【００４９】
図７に示すように、底部カバー３は、全体として細長い矩形枠状の開口縁部３３を備えている。開口縁部３３は、メータケース２の底部開口部４の開口縁部に対応する輪郭形状をしており、シール部材２１を挟み、メータケース２側の開口縁部４ａに取り付けられる。開口縁部３３の内側には、その長辺方向の中央部分に、一段深い平坦な矩形輪郭の底面部分３４が形成され、この底面部分３４の両側には、仕切り壁部分３５、３６によって底面部分３４と仕切られた湾曲状底面部分３７、３８が形成されている。底部カバー３は本例では、前後左右に対称な形状をしている。
【００５０】
平坦な底面部分３４はメータケース２の側の計測ユニット装着部１２ｂに装着された計測ユニット１５に当接するユニット押さえ面として機能する。両側の仕切り壁部分３５、３６の上端面によってそれぞれ規定される上方に開口した矩形溝部分は、シール部材２８ａ、２８ｂを挟み、計測ユニット１５を押圧する押圧部として機能する。底面部分３４の両側の湾曲状底面部分３７、３８は、それぞれ、メータケース２との間で入口ガス流路１２ａおよび出口ガス流路１２ｃを区画形成する部分である。
【００５１】
この構成の底部カバー３において、その平坦な底面部分３４における対角線方向の両端の角部には、半球状の凹部３９ａ、３９ｂ（底面カバー側ガイド部）がそれぞれ形成されている。正規装着位置に装着された計測ユニット１５の側の一対の突起３２ａ、３２ｂに対応する位置となるように、凹部３９ａ、３９ｂのそれぞれが形成されている。
【００５２】
計測ユニット１５をメータケース２側の計測ユニット装着部１２ｂに装着した後に、底部カバー３を取り付ける場合において、計測ユニット１５が正規装着位置に装着されている場合、換言すると、前後の向きが正しい状態で計測ユニット１５が装着されている場合には、メータケース２の底部開口部４に取り付ける底部カバー３の一対の凹部３９ａ、３９ｂは、計測ユニット１５側の一対の突起３２ａ、３２ｂに対応する位置に位置決め可能である。よって、一対の突起３２ａ、３２ｂが一対の凹部３９ａ、３９ｂに挿入され、底部カバー３をメータケース２の底部に取り付けることができる。
【００５３】
これに対して、計測ユニット１５が前後逆の向きで誤組付けされた場合には、その一対の突起３２ａ、３２ｂは、前後方向の一方の側に距離２δだけオフセットする。底部カバー３を取り付けようとすると、一対の突起３２ａ、３２ｂに、一対の凹部３９ａ、３９ｂ、を位置決めできず、突起３２ａ、３２ｂに底部カバー３の底面部分３４が当たる。突起３２ａ、３２ｂに底部カバー３が当たり、その取付けができないので、作業者は、計測ユニット１５が前後逆の状態で誤組付けされていることを知ることができる。よって、計測ユニット１５の誤組付けを、簡単かつ確実に防止できる。
【符号の説明】
【００５４】
１  ガスメータ
２  メータケース
２ａ  前壁内周面
２ｂ  後壁内周面
２ｃ、２ｄ  側壁内周面
３  底部カバー
４  底部開口部
４ａ  開口縁部
５  ガス流入口
６  ガス流出口
７  液晶表示器
８  制御ユニット
１１  上流側ガス流路
１１ａ  連通口
１２  中間ガス流路
１２ａ  入口ガス流路
１２ｂ  計測ユニット装着部
１２ｃ  出口ガス流路
１３  下流側ガス流路
１４  ガス遮断弁
１５  計測ユニット
１５ａ  ガス入口
１５ｂ  ユニット内部ガス流路
１５ｃ  ガス出口
１６  入口用整流板
１６ａ  天板部分
１６ｂ、１６ｃ  側板部分
１６ｄ  前側端面
１６ｅ  後側端面
１６ｆ  突起
１７  出口用整流板
１７ａ  天板部分
１７ｂ、１７ｃ  側板部分
１７ｄ  前側端面
１７ｅ  後側端面
１７ｆ  突起
２１  シール部材
２２  ビス
２３、２４  仕切り壁
２５、２６  ガイド溝
２７  ユニットケース
２７ａ  シール溝
２７ｂ  天板部分
２７ｃ  底板部分
２８ａ、２８ｂ  シール部材
２９  枠板
２９ａ、２９ｂ  突起
３０  ガイド溝
３１  円弧板
３２ａ、３２ｂ  突起
３３  開口縁部
３４  底面部分
３５、３６  壁部分
３７、３８  湾曲状底面部分
３９ａ、３９ｂ  凹部
【図１】
2020003465.tif 000003
【図２】
2020003465.tif 000004
【図３】
2020003465.tif 000005
【図４】
2020003465.tif 000006
【図５】
2020003465.tif 000007
【図６】
2020003465.tif 000008
【図７】
2020003465.tif 000009